(57)【要約】      （修正有）【課題】上下移動して異種類のレンズなどを簡単に使い分け可能となると共に、レンズなどの中心と装着者の目の高さを合致させて眼精疲労が軽減される遠近両用眼鏡状のフレームを提供する。【解決手段】一対のツル部１と、その先端を連結する連結杆２と、該連結杆２の中央に設けた吊下軸３と、その吊下軸３に固着した鼻当部材４と、吊下軸３に取付けて上下方向にスライド可能にするためのスライド手段５と、連結杆２の前方で上下方向にスライド可能に配置すると共に上下に配置したレンズＡ，Ｂを保持する一対のレンズ保持枠６と、該レンズ保持枠６を連結するブリッジ７と、から少なくとも構成し、且つ、レンズ保持枠６の下方のレンズＢの中心よりも低い位置にブリッジ７を取付けると共に、レンズ保持枠６のスライド距離を少なくとも、レンズＡの中心とレンズＢとの中心の間隔相当の距離に制限する。【選択図】図１
2018060188.tif 000002
【特許請求の範囲】
【請求項１】
一対のツル部（１）と、その先端を連結する連結杆（２）と、該連結杆（２）の中央に設けた吊下軸（３）と、その吊下軸（３）に固着した鼻当部材（４）と、前記吊下軸（３）に取付けてスライド可能にするためのスライド手段（５）と、前記連結杆（２）の前方で上下方向にスライド可能に配置し且つ前記スライド手段（５）を介在させて配置すると共に、上下に配置したレンズＡ，Ｂを保持する一対のレンズ保持枠（６）と、該レンズ保持枠（６）を連結するブリッジ（７）と、から少なくとも構成し、且つ、前記レンズ保持枠（６）の下方のレンズＢの中心よりも低い位置に前記ブリッジ（７）が取付けられると共に、前記レンズ保持枠（６）のスライド距離を少なくとも、レンズＡの中心とレンズＢとの中心の間隔相当の距離に制限したことを特徴とする遠近両用眼鏡状のフレーム。
【請求項２】
一対のツル部（１）と、その先端を連結する連結杆（２）と、該連結杆（２）の中央に設けた吊下軸（３）と、その吊下軸（３）に固着した鼻当部材（４）と、前記吊下軸（３）に取付けてスライド可能にするためのスライド手段（５）と、前記連結杆（２）の前方で上下方向にスライド可能に配置し且つ前記スライド手段（５）を介在させて配置すると共に、上下に配置したレンズＡ，Ｂを保持する一対のレンズ保持枠（６）と、該レンズ保持枠（６）を連結するブリッジ（７）と、から少なくとも構成し、且つ、前記連結杆（２）の両端部が下方に折曲されて形成した垂直部（22）を前記レンズ保持枠（６）の外側枠部（61）に対向して配置し、前記垂直部（22）と連結した前記ツル部（１）の高さを、レンズＡ或いはレンズＢの中心と合致させると共に前記レンズ保持枠（６）の下方のレンズＢの中心よりも低い位置に前記ブリッジ（７）が取付けられ、更に、前記垂直部（22）と前記外側枠部（61）との間に、前記レンズ保持枠（６）のスライドガイド部材（９）を設け、尚且つ、前記レンズ保持枠（６）のスライド距離を少なくとも、レンズＡの中心とレンズＢとの中心の間隔相当の距離に制限したことを特徴とする遠近両用眼鏡状のフレーム。
【請求項３】
前記吊下軸（３）が多角形状の柱であり、且つ、前記スライド手段（５）が、前記吊下軸（３）に挿入してスライドするスライド軸受（51）と、該スライド軸受（51）を前記吊下軸（３）の所定の位置に保持する保持部材（52）と、前記吊下軸（３）の端部に設ける抜け防止具（53）と、から少なくとも構成され、且つ、前記保持部材（52）が、前記スライド軸受（51）に取付けた係止片（521）と、該係止片（521）を前記吊下軸（３）に押圧するためのバネ材（522）とから構成した請求項１又は２記載の遠近両用眼鏡状のフレーム。
【請求項４】
前記スライド手段（５）が、前記吊下軸（３）に挟持可能にするための弾性を有する挟持本体（54）と、該挟持本体（54）の端部を開くためのツマミ部（541）と、から構成された請求項１又は２記載の遠近両用眼鏡状のフレーム。
【請求項５】
前記吊下軸（３）が一対の軸であり、且つ、該各軸の下端に落下防止具（3b）を設け、前記スライド手段（５）が、前記各吊下軸（３）に挿入してスライドするスライド部（55）と、該各スライド部（55）を前記吊下軸（３）に保持するための弾性を有する板バネ（551）と、その板バネ（551）を開くための操作ツマミ（552）と、から構成された請求項１又は２記載の遠近両用眼鏡状のフレーム。
【請求項６】
前記吊下軸（３）が多角形状の柱であり、且つ、前記スライド手段（５）が、前記吊下軸（３）に挿入してスライドするスライド軸受（51）と、前記吊下軸（３）の上下端部に固着する磁石（56）と、前記スライド軸受（51）の上下端部に取付けた鉄板（511）と、から少なくとも構成された請求項１又は２記載の遠近両用眼鏡状のフレーム。
【請求項７】
前記吊下軸（３）が多角形状の柱であり、且つ、前記スライド手段（５）が、前記吊下軸（３）に挿入してスライドするスライド軸受（51）と、該スライド軸受（51）の表面に２つ設けた掛止溝（51b）と、その掛止溝（51b）に掛止すると共に前記吊下軸（３）の上下端部に設ける掛止片（57）と、から少なくとも構成された請求項１又は２記載の遠近両用眼鏡状のフレーム。
【発明の詳細な説明】
【技術分野】
【０００１】
本発明は上下移動して異種類のレンズなどを使い分け出来る遠近両用眼鏡状のフレームに関する。
【背景技術】
【０００２】
一般に遠近両用眼鏡は、１枚のレンズの上部を遠視用に、その下部を近視用に成し、眼鏡の装着者が眼球の方向や見る角度を変え、遠くの物を見る時には上目使いに、近くの物を見る時には下目使いにして見ているのが現状である。この場合、図１４（ａ）に示すように視線が水平位置から下方に向って物を見るため、物を見るのに正視する（レンズの中心と装着者の目の高さが合致した視線で見る）のが自然であるのに対して、特に近くの物を見る時の視線は、不自然な見方、不自然な使い方で無理が生じ易く、目の疲れを誘発し易いものとなっていた。
【０００３】
このため、下方の近視用領域を目の位置に近付けて、視線を正視状態に近くするための提案も多くある。この中で、鼻当部だけを上下移動させる提案のものとしては、図１４（ｂ）に示すように視線を水平位置から下方に向けて物を見ると、図１４（ａ）の時よりも下方に向ける位置が少なくて済み、目の高さに近付けることができる。しかし、この時のレンズ全体が図中のように傾くため、見にくいものとなり、目の疲労が生じ易いものとなっていた。
【０００４】
又、眼鏡自体を反転させる眼鏡や、眼鏡自体の高さを鼻当て位置の上下高さ調節によって目の位置に近付けた眼鏡など多種類のものがある。この中で、眼鏡自体を反転させる提案のものとしては、例えば、特開平７−１９９１２６号があり、これは、反転して眼鏡が掛けられるようにツル部を反転して耳当部を上下移動させると共に、鼻当部を上下移動させて、遠中視部又は近視部の中央付近に目が位置するようにする構造のものである。
【０００５】
しかしなら、眼鏡自体を反転させる眼鏡は、ツル部の取付部が眼鏡枠の外側中央高さに設けられているため、眼鏡自体を反転させても、視線が上下のレンズの境に来て見にくくなり、必ず鼻当部の上下高さ調節をしなければならないものであった。この眼鏡は反転させて使用できるようにした後、鼻当部を上下移動させて上下高さ調節する必要があり、面倒であると共に、鼻当部の上下移動させる微調節はなかなか正確に行うのは困難である。又、この時の視線としては、図１４（ｃ）に示すようになり、装着者の目の高さにズレが生じ、且つ、レンズ全体が図中のように傾くため、目の疲労をなくすことはできないものであった。
【先行技術文献】
【特許文献】
【０００６】
【特許文献１】特開平７−１９９１２６号公報
【発明の概要】
【発明が解決しようとする課題】
【０００７】
本発明は上下移動して異種類のレンズなどを簡単に使い分け出来ると共に、眼精疲労が軽減される遠近両用眼鏡状のフレームを提供することを目的とする。
【０００８】
本発明の他目的はレンズなどの中心と装着者の目の高さを合致させて眼精疲労がより軽減される遠近両用眼鏡状のフレームを提供することにある。
【課題を解決するための手段】
【０００９】
本発明は上記現状に鑑みて成されたものであり、つまり、一対のツル部と、その先端を連結する連結杆と、該連結杆の中央に設けた吊下軸と、その吊下軸に固着した鼻当部材と、吊下軸に取付けてレンズ保持枠を上下方向にスライド可能にするためのスライド手段と、連結杆の前方で上下方向にスライド可能に配置すると共に上下に配置したレンズＡ，Ｂを保持する一対のレンズ保持枠と、該レンズ保持枠を連結するブリッジと、から少なくとも構成し、且つ、レンズ保持枠の下方のレンズＢの中心よりも低い位置にブリッジを取付けると共に、レンズ保持枠のスライド距離を少なくとも、レンズＡの中心とレンズＢとの中心の間隔相当の距離に制限する構造とする。また本発明に於いて、「レンズＢの中心よりも低い位置」とは、レンズＢの上下方向（高さ）の１／２よりも低い位置を指すものとする。
又、吊下軸に多角形状の柱を或いは一対の軸を用い、一対の軸を用いる時には、その下端に落下防止具を設ける。またスライド手段として、吊下軸に挿入してスライドするスライド軸受と、該スライド軸受を吊下軸の所定の位置に保持とする保持部材と、吊下軸の端部に設けた抜け防止具と、から少なくとも構成されたものとしても良い。更に保持機構として、  １）スライド軸受に取付けた係止片と、該係止片を吊下軸に押圧するためのバネ材とから構成する係止方式のもの、  ２）吊下軸に挟持可能にするための弾性を有する挟持本体と、該挟持本体の端部を開くためのツマミ部と、から構成するダブルクリップ状のもの及びその変形したもの、  ３）吊下軸の上下端部に固着する磁石と、スライド軸受の上下端部に取付けた鉄板とから構成する着磁方式のもの、  ４）スライド軸受の表面に２つ設けた掛止溝と、該掛止溝に掛止すると共に吊下軸の上下端部に設ける掛止片と、から構成する掛止め方式のもの、などの構造とするのが好ましい。
【００１０】
また別発明の解決手段として、一対のツル部と、その先端を連結する連結杆と、該連結杆の中央に設けた吊下軸と、その吊下軸に固着した鼻当部材と、吊下軸に取付けてレンズ保持枠を上下方向にスライド可能にするためのスライド手段と、連結杆の前方で上下方向にスライド可能に配置すると共に上下に配置したレンズＡ，Ｂを保持する一対のレンズ保持枠と、該レンズ保持枠を連結するブリッジと、から少なくとも構成し、且つ、連結杆の両端部が下方に折曲されて形成した垂直部をレンズ保持枠の外側枠部に対向して配置し、垂直部と連結したツル部の高さを、レンズＡ或いはレンズＢの中心と合致させると共に、レンズ保持枠の下方のレンズＢの中心よりも低い位置にブリッジが取付けられ、更に、垂直部と外側枠部との間に、レンズ保持枠のスライドガイド部材を設け、尚且つ、レンズ保持枠のスライド距離を少なくとも、レンズＡの中心とレンズＢとの中心の間隔相当の距離に制限する構造とする。
【発明の効果】
【００１１】
請求項１のように一対のツル部（１）と、その先端を連結する連結杆（２）と、該連結杆（２）の中央に設けた吊下軸（３）と、その吊下軸（３）に固着した鼻当部材（４）と、吊下軸（３）に取付けてスライド可能にするためのスライド手段（５）と、連結杆（２）の前方で上下方向にスライド可能に配置し且つスライド手段（５）を介在させて配置すると共に、上下に配置したレンズＡ，Ｂを保持する一対のレンズ保持枠（６）と、該レンズ保持枠（６）を連結するブリッジ（７）と、から少なくとも構成し、且つ、レンズ保持枠（６）の下方のレンズＢの中心よりも低い位置にブリッジ（７）が取付けられると共に、レンズ保持枠（６）のスライド距離を少なくとも、レンズＡの中心とレンズＢとの中心の間隔相当の距離に制限することにより、上下移動して異種類のレンズなどを簡単に使い分け可能となると共に、レンズの中心と装着者の目の高さが合致できるので、正視する自然状態となり、眼精疲労が軽減されるものとなる。特にレンズＡの眼鏡とレンズＢの眼鏡の２種類の眼鏡が、上辺同士を固定した眼鏡と略同様な使用状態となるため、レンズＡの眼鏡とレンズＢの眼鏡を使い分けて単独の眼鏡として使用する場合と略同一の感覚となり、上下移動しても目の高さがズレないので、極めて見え易いものとなる。またレンズＡとレンズＢの使い分けが簡単で迅速且つ確実に行え、しかもレンズの使用範囲（視線の移動範囲）が広がるものとなる。更に、従来品の如く調節や微調節することが殆どないので、取扱いが極めて安易なものとなるのである。
【００１２】
請求項２のように一対のツル部（１）と、その先端を連結する連結杆（２）と、該連結杆（２）の中央に設けた吊下軸（３）と、その吊下軸（３）に固着した鼻当部材（４）と、前記吊下軸（３）に取付けてスライド可能にするためのスライド手段（５）と、連結杆（２）の前方で上下方向にスライド可能に配置し且つ前記スライド手段（５）を介在させて配置すると共に、上下に配置したレンズＡ，Ｂを保持する一対のレンズ保持枠（６）と、該レンズ保持枠（６）を連結するブリッジ（７）と、から少なくとも構成し、且つ、連結杆（２）の両端部が下方に折曲されて形成した垂直部（22）をレンズ保持枠（６）の外側枠部（61）に対向して配置し、垂直部（22）と連結したツル部（１）の高さを、レンズＡ或いはレンズＢの中心と合致させると共にレンズ保持枠（６）の下方のレンズＢの中心よりも低い位置にブリッジ（７）が取付けられ、更に、垂直部（22）と外側枠部（61）との間に、レンズ保持枠（６）のスライドガイド部材（９）を設け、尚且つ、レンズ保持枠（６）のスライド距離を少なくとも、レンズＡの中心とレンズＢとの中心の間隔相当の距離に制限することにより、請求項１と同様な効果が得られると共に、上下に配置したレンズＡ，Ｂを保持する一対のレンズ保持枠（６）の外側の動きが規制されるので、それが正確に且つスムーズに上下移動する。
【００１３】
請求項３に示すように吊下軸（３）が多角形状の柱であり、且つ、スライド手段（５）が、吊下軸（３）に挿入してスライドするスライド軸受（51）と、該スライド軸受（51）を吊下軸（３）の所定の位置に保持する保持部材（52）と、吊下軸（３）の端部に設ける抜け防止具（53）と、から少なくとも構成され、且つ、保持部材（52）が、スライド軸受（51）に取付けた係止片（521）と、該係止片（521）を吊下軸（３）に押圧するためのバネ材（522）とから構成することにより、簡単な構造で、且つ、上下移動がスムーズに行えるものとなるのである。
【００１４】
請求項４に示すようにスライド手段（５）が、吊下軸（３）に挟持可能にするための弾性を有する挟持本体（54）と、該挟持本体（54）の端部を開くためのツマミ部（541）と、から構成されることによって、請求項３と同様な効果が得られると共に上下移動が極めて簡単で且つ素早く行えるものとなる。
【００１５】
請求項５のように吊下軸（３）が一対の軸であり、且つ、該各軸の下端に落下防止具（3b）を設け、スライド手段（５）が、各吊下軸（３）に挿入してスライドするスライド部（55）と、該各スライド部（55）を吊下軸（３）に保持するための弾性を有する板バネ（551）と、その板バネ（551）を開くための操作ツマミ（552）と、から構成されることによって、請求項４と同様な効果が得られるものとなる。
【００１６】
請求項６のように吊下軸（３）が多角形状の柱であり、且つ、スライド手段（５）が、吊下軸（３）に挿入してスライドするスライド軸受（51）と、吊下軸（３）の上下端部に固着する磁石（56）と、スライド軸受（51）の上下端部に取付けた鉄板（511）と、から少なくとも構成されることによって、請求項４と同様な効果が得られるものとなる。
【００１７】
請求項７に示すように吊下軸（３）が多角形状の柱であり、且つ、スライド手段（５）が、吊下軸（３）に挿入してスライドするスライド軸受（51）と、該スライド軸受（51）の表面に２つ設けた掛止溝（51b）と、該掛止溝（51b）に掛止すると共に吊下軸（３）の上下端部に設ける掛止片（57）と、から少なくとも構成されることによって、請求項４と同様な効果が得られるものとなる。
【図面の簡単な説明】
【００１８】
【図１】本発明の実施形態を示す説明図である。
【図２】本実施形態の分解部品を示す斜視図である。
【図３】別実施形態の連結杆を用いた分解部品を示す斜視図である。
【図４】本実施形態のスライド手段の作用を示す説明図である。
【図５】ダブルクリップ方式のスライド手段の分解部品を示す説明図である。
【図６】変形ダブルクリップ方式のスライド手段の分解部品を示す説明図である。
【図７】着磁方式のスライド手段の分解部品を示す説明図である。
【図８】掛止め方式のスライド手段の分解部品を示す説明図である。
【図９】別発明の実施形態を示す説明図である。
【図１０】別発明のスライドガイド部材の実施形態を示す説明図である。
【図１１】別発明のスライドガイド部材とツル部の別実施形態を示す説明図である。
【図１２】本実施形態のレンズ保持枠が折曲されたものを示す説明図である。
【図１３】本発明の作用を示す説明図である。
【図１４】従来品の視線を示す説明図である。
【発明を実施するための形態】
【００１９】
本発明の実施形態を図１〜図３に基づいて説明する。（１）は先端が折畳み可能に取付けられた一対の一般的なツル部であり、該ツル部（１）の後端部には耳当部（1a）が形成されている。（２）はツル部（１）の先端を連結した連結杆であり、該連結杆（２）はツル部（１）の太さと同一又は略同じ太さである。又、前記連結杆（２）には、図２、図３に於ける２点鎖線からレンズ全体の高さ（上下方向のレンズ全体の寸法）の１／４よりも上方に位置するように上辺部（21）を形成させ、フレームを装着した際に前記連結杆（２）が視界の邪魔にならないようにしている（図１３参照）。また前記連結杆（２）を２点鎖線のような直線のものを用い、視界の邪魔にならないように透明な合成樹脂等で成形したものとしても良い。又、図３に示すように上辺部（21）の外側の垂直部（22）を、後述するレンズ保持枠（６）と略同じ幅或いはそれ以上にするために、図２のものよりも広げたものとしても良い。
【００２０】
（３）は連結杆（２）の中央に設けた透明な合成樹脂製の吊下軸であり、該吊下軸（３）は連結杆（２）よりも若干突出させ、四角柱などの多角柱に形成し、且つ、その表面には後述する係止片（521）の先端が係止されて位置決め出来る係止溝（3a）が２個形成されている。この２個の係止溝（3a）の間隔は、後述するレンズＡの中心とレンズＢの中心との距離である。又、前記係止溝（3a）の断面形状はＵ字状に形成されるのが好ましい。尚、前記吊下軸（３）は透明な合成樹脂製が好ましいが、他の色や材質でも良い。（４）は吊下軸（３）に固着した鼻当部であり、該鼻当部材（４）は少なくともパット（41）と支持棒（42）とから構成されている。また支持棒（42）の上端部は吊下軸（３）に固着している。
【００２１】
（５）は吊下軸（３）に取付けてスライド可能にするためのスライド手段であり、該スライド手段（５）が、吊下軸（３）に挿入してスライドする透明な合成樹脂製のスライド軸受（51）と、該スライド軸受（51）が吊下軸（３）の所定の位置に保持可能とするための透明な合成樹脂製の保持部材（52）と、吊下軸（３）の端部に設けた抜け防止具（53）と、から構成されている。前記保持部材（52）には、吊下軸（３）の係止溝（3a）に先端が係止される係止片（521）と、該係止片（521）が係止溝（3a）に常時係止するように弾性力が付与するバネ材（522）と、がある。又、前記係止片（521）の先端は図４に示すような円弧状に丸められている。またスライド軸受（51）は後述するブリッジ（７）の中央に固着されている。更に前記スライド手段（５）は、後述するレンズ保持枠（６）を連結杆（２）の前方で上下方向にスライド可能にさせている。この時のスライド軸受（51）のスライド距離は、係止溝（3a）の上下の間隔、つまり、後述するレンズＡの中心とレンズＢとの中心の間隔相当の距離としているが、その距離以上にスライドする余裕を持たせたものとしても良い。尚、前記スライド軸受（51）や前記保持部材（52）は透明な合成樹脂製が好ましいが、他の色や材質でも良い。又、前記スライド軸受（51）の保持部材（52）の構成は上記のものに限定されるものではない。
【００２２】
（６）は上下に配置したレンズＡ，Ｂを保持する一対のレンズ保持枠であり、該レンズ保持枠（６）はレンズＡ，Ｂの外周を図中の如く囲っているが、これに限定するものではなく、例えば、縁なし眼鏡のレンズ保持枠（６）を用いても良い。尚、前記レンズ保持枠（６）によって保持されるレンズとしては、凹レンズ，凸レンズ，板ガラス（素通しや偏光板），色付きガラス（サングラスなど），ウェアラブル端末グラスなどを用いるのが好ましい。またレンズの形状としては、図１〜図３の図中に示す四角形に限定されるものではなく、例えば円形，楕円形や他の形状でも良い。またレンズＡ，Ｂは個別でなく、１枚のレンズに一体化させたものとしても良い。更に前記レンズの代わりに、ウェアラブル端末用の表示画面として使用するものとしても良い。
又、レンズＡ，Ｂが傾斜するようにレンズ保持枠（６）を、図１２に示すように折曲（傾斜）させたものとしても良い。この時のツル部（１）と後述するブリッジ（７）の最大高低差を、レンズＡの中心とレンズＢの中心との間隔相当の距離にすると良く、吊下軸（３）を連結杆（２）に設ける際、レンズ保持枠（６）の上部の傾斜に合せて平行移動するように傾斜を付けたものとしても良いが、直角に設けたものとしても良い。尚、図中の一点鎖線は装着者の目の高さを示す。
【００２３】
（７）は一対のレンズ保持枠（６）を一体に連結するブリッジであり、該ブリッジ（７）の取付け位置は、レンズ保持枠（６）の下部に設けられている。またブリッジ（７）の中央にはスライド軸受（51）が固着されている。尚、前記吊下軸（３）を連結杆（２）よりも上方に伸ばした場合、ブリッジ（７）の取付け位置は、レンズ保持枠（６）の下方のレンズの中心よりも上方にすると良い。（８）はツル部（１）を折畳み可能に取付けるための蝶番であり、一般的なものを用いれば良い。
【００２４】
図５はダブルクリップ方式のスライド手段（５）の実施形態を示す図であり、このスライド手段（５）は、板状のバネ材を折曲して台形状に形成すると共にその台形状の上辺が開口可能に成されている透明な合成樹脂製の挟持本体（54）と、該挟持本体（54）を開口して吊下軸（３）に挟持可能にするために備えた透明な合成樹脂製のツマミ部（541）と、吊下軸（３）の端部に設けた抜け防止具（53）と、から構成されている。尚、前記挟持本体（54）の形状は、台形状に限定されるものではなく、吊下軸（３）に挟持してレンズ保持枠（６）が固定出来る形状であれば、他の形状でも良い。又、前記挟持本体（54）とツマミ部（541）は、文具用品として用いられているダブルクリップと略同一構造のものである。また前記抜け防止具（53）は吊下軸（３）と一体に成形したものとしても良い。又、前記挟持本体（54）や前記ツマミ部（541）は透明な合成樹脂製が好ましいが、他の色や材質でも良い。
【００２５】
図６は変形ダブルクリップ方式のスライド手段（５）の実施形態を示す図であり、このスライド手段（５）は、一対の吊下軸（３）に挿入してスライドする透明な合成樹脂製のスライド部（55）と、該各スライド部（55）を吊下軸（３）に保持するための弾性を有する透明な合成樹脂製の板バネ（551）と、その板バネ（551）を開くための透明な合成樹脂製の操作ツマミ（552）と、から構成されている。前記スライド部（55）は操作ツマミ（552）によって、その間隔が変化する。つまり、操作ツマミ（552）を手から離すと前記間隔は狭まり、一対の吊下軸（３）の間隔よりも狭くなろうとする力が作用し続けるので、レンズ保持枠（６）は落下することなく、その位置で保持されるものとなる。尚、前記スライド部（55），板バネ（551），操作ツマミ（552）は透明な合成樹脂製が好ましいが、他の色や材質でも良い。
【００２６】
図７は着磁方式のスライド手段（５）の実施形態を示す図であり、このスライド手段（５）は、吊下軸（３）に挿入してスライドする透明な合成樹脂製のスライド軸受（51）と、吊下軸（３）の端部に設けた抜け防止具（53）と、吊下軸（３）の上下端部に固着する磁石（56）と、スライド軸受（51）の上下端部に取付けた鉄板（511）と、から構成されている。又、スライド軸受（51）の表面には取手（51a）が突出して一体に形成されている。尚、前記スライド軸受（51）は透明な合成樹脂製が好ましいが、他の色や材質でも良い。
【００２７】
図８は掛止め方式のスライド手段（５）の実施形態を示す図であり、このスライド手段（５）は、吊下軸（３）に挿入してスライドする透明な合成樹脂製のスライド軸受（51）と、該スライド軸受（51）の表面に２つ設けた掛止溝（51b）と、その掛止溝（51b）に掛止すると共に吊下軸（３）の上下端部に設ける掛止片（57）と、吊下軸（３）の端部に設けた抜け防止具（53）と、から構成されている。前記掛止溝（51b）の上下に掛止片（57）が掛止された際の高低差は、レンズＡの中心とレンズＢの中心との距離に相当とするのが好ましい。尚、前記スライド軸受（51）と掛止片（57）は透明な合成樹脂製が好ましいが、他の色や材質でも良い。又、掛止片（57）を吊下軸（３）の上部に設ける場合は、吊下軸（３）に一体成形したものとしても良い。
【００２８】
図９は別発明の実施形態を示す図である。これは前記発明と比べ、連結杆（２）の垂直部（22）が長くなり、該垂直部（22）とレンズ保持枠（６）の外側枠部（61）との間に、レンズ保持枠（６）がスムーズに上下移動するためのスライドガイド部材（９）を設けたものであり、他の部材は同じであるが、図１１のようにツル部（１）が略三角板状に形成したものとしても良い。この時のツル部（１）の材質としては、合成樹脂が好ましいが、他の材料でも良い。
【００２９】
先ず、連結杆（２）について説明する。前記連結杆（２）の上辺部（21）の外側端部が下方に折曲されて形成した垂直部（22）をレンズ保持枠（６）の外側枠部（61）に対向して配置し、垂直部（22）の長さは、レンズ保持枠（６）の中央位置（レンズＡとレンズＢの境）よりも少し長くし、ツル部（１）の高さ位置が、レンズＡ或いはレンズＢの中心と同じ高さになるように連結されている。
【００３０】
次にスライドガイド部材（９）について説明する。スライドガイド部材（９）にはメス型とオス型があり、メス型の構造としては、連結杆（２）の垂直部（22）に挿入して上下移動自在なスライドリング（91）と、該スライドリング（91）とレンズ保持枠（６）の外側枠部（61）とを接続する接続杆（92）と、スライドリング（91）が垂直部（22）の上部で停止状態を保持するためのストッパー（93）とがある。またスライドリング（91）の中心には四角状の穴が穿設されている。前記ストッパー（93）には、垂直部（22）の外面を押圧接触する球体（93a）と、該球体（93a）に押圧力を付勢するためのバネ（93b）とがある（図１０参照）。この時、球体（93a）の先端が係合するための穴が垂直部（22）の上部の外面に穿設されている。尚、前記ストッパー（93）は必ずしも必要ではない。つまり、レンズ保持枠（６）は、スライド手段（５）の保持部材（52）で降下しないように保持されているため、スライドリング（91）の降下は、ストッパー（93）がなくても防止できる状態にある。又、前記ストッパー（93）がある時は、スライド手段（５）の保持部材（52）を省略しても良い。
【００３１】
次にオス型の構造としては、予め垂直部（22）をボックス状に形成すると共に正面にスリットを形成しておく。前記垂直部（22）の内部を上下移動自在な駒（94）と、該駒（94）とレンズ保持枠（６）の外側枠部（61）とを接続する接続杆（92）と、駒（94）が垂直部（22）の上部で停止状態を保持するためのストッパー（93）とがある（図１１参照）。また駒（94）は長方体或いは立方体に形成されている。前記ストッパー（93）には、メス型と同様のものを使用すると良いが、他の構造のものでも良い。
【００３２】
次に本発明のスライド手段（５）の作用を図４に基づいて説明する。先ず始めに（ｂ）の２点鎖線の状態にある係止片（521）を、白抜き矢印のように指で押すと、係止片（521）は実線のようにその先端が係止溝（3a）から外れる。そして、スライド軸受（51）を指で矢印方向へ持上げて離すと、係止片（521）の先端は吊下軸（３）の表面に当る。この状態でスライド軸受（51）を指で持上げて行くと、係止片（521）の先端は上方の係止溝（3a）に係止される。この時、係止片（521）の先端が係止溝（3a）に係止されると共にバネ材（522）の弾性力が係止片（521）の先端に付与されるので、スライド軸受（51）は（ａ）の位置で確実に止まる。この結果、レンズ保持枠（６）が上昇されて、装着者の目の位置（ツル部高さ位置）に、レンズＡの中心或いはレンズＢの中心が来る。
【００３３】
次にスライド軸受（51）を（ａ）から（ｂ）の位置に移動させる時は、係止片（521）を指で押して、その先端を係止溝（3a）から外した後、スライド軸受（51）を降下させて下方の係止溝（3a）に係止片（521）の先端が係止されることにより、（ｂ）の位置に確実に戻されるのである。
【００３４】
尚、スライド手段（５）が、図５や図６の場合、ツマミ部（541）或いは操作ツマミ（552）を握って、挟持本体（54）或いはスライド部（55）を所定位置に配置させた後、ツマミ部（541）或いは操作ツマミ（552）を手から離せば、所定位置で挟持本体（54）或いはスライド部（55）が保持されるものとなる。又、図７や図８の場合、スライド軸受（51）の取手（51a）を指で摘んで上方或いは下方へ移動してスライド軸受（51）を当接させれば、スライド軸受（51）は着磁或いは掛止されて所定位置に保持されるものとなる。
【００３５】
次に本発明の作用を図１３に基づいて説明する。先ず始めに（ａ）の状態について説明する。この状態で眼鏡を掛けると、装着者の目の高さとレンズＡの中心が合致しているので、物が非常に見易く、且つ、レンズＡの上下を有効に使用できるものとなる。その後、レンズＢを使用する時は、先ず指で係止片（521）を指で押して、係止状態を解除した後、（ｂ）に示す矢印のようにスライド軸受（51）を上昇させて、上方の係止溝（3a）に係止片（521）の先端を係止させることにより、スライド軸受（51）は（ｂ）の位置で止まると共にそこで落下することなく保持されるのである。この時、上記レンズＡの時と同じようにレンズＢの中心が目の高さと合致するので、物を見る時に正視できるため、目の疲れが激減出来るものとなる。
尚、別発明の作用は、本発明の作用に協動すると共にレンズ保持枠（６）のぐらつきを少なくして、スムーズに上下移動するように、スライドガイド部材（９）が設けられている。
【００３６】
このようにスライド軸受（51）を上下移動させるだけで、レンズ保持枠（６）が上下移動されるものとなる。この時、図５、図６のように係止溝（3a）を設けずに、挟持本体（54）やスライド部（55）の如くその上下端面に当接させるだけのものにしておくと、操作がより簡単に行えるものとなる。しかも、上下移動はレンズ側のみで、鼻当部材（４），耳当部（1a），ツル部（１）の位置関係は変化しないものとなるのである。
【００３７】
この時、例えば、レンズＡとして凹レンズを使用し、レンズＢとして凸レンズを使用すれば、従来の問題点が、素早く解決できるものとなる。つまり、１）運転席のカーナビやオーディオ機器等を操作した後、直ぐに前方を見ても、焦点が合わず前方がボケたり或いは距離感に異常を感じることが防止可能となる。２）コンピューターの前で、手元のデーターや文字を確認した後、画面を見ると細かな文字が見えにくく、且つ、眩しく感じたりすることがなくなり、目の疲れが減少し、頭痛や肩こり等が減少するものとなる。３）階段を下がる時に足元がボケ、歩きにくくなることが防止でき、階段を踏み外す事故も防止出来るものとなる。４）ＴＶを見ながら新聞や雑誌を見てもピンボケが減少する。５）岩場で釣りをする場合、針に餌を付けた後にすぐに岩場を歩いても岩につまずくことが殆どなくなる。
又、レンズＡとしてサングラスを使用し、レンズＢとして凸レンズを使用する際、特に運転席のカーナビやオーディオ機器等を操作した後、直ぐに前方をサングラスに変えて見れば、ボケたり或いは距離感に異常を感じることが防止可能となると共に眩しさに対応できるものとなる。更に、レンズＡとしてウェアラブル端末グラスを使用し、レンズＢとして凸レンズを使用すると、眼鏡としてレンズＢを使用しながら、一々眼鏡を外さなくてもウェアラブル端末が使用できるものとなるのである。
このように、本発明品を用いれば、眼鏡を掛け変えなくても簡単に２種類のレンズがそれぞれ単独状態で使用できるものとなるのである。
【符号の説明】
【００３８】
１  ツル部
２  連結杆
22  垂直部
３  吊下軸
3b  落下防止具
４  鼻当部材
５  スライド手段
51  スライド軸受
51b  掛止溝
511  鉄板
52  保持部材
521  係止片
522  バネ材
53  抜け防止具
54  挟持本体
541  ツマミ部
55  スライド部
551  板バネ
552  操作ツマミ
56  磁石
57  掛止片
６  レンズ保持枠
61  外側枠部
７  ブリッジ
９  スライドガイド部材
【図１】
2018060188.tif 000003
【図２】
2018060188.tif 000004
【図３】
2018060188.tif 000005
【図４】
2018060188.tif 000006
【図５】
2018060188.tif 000007
【図６】
2018060188.tif 000008
【図７】
2018060188.tif 000009
【図８】
2018060188.tif 000010
【図９】
2018060188.tif 000011
【図１０】
2018060188.tif 000012
【図１１】
2018060188.tif 000013
【図１２】
2018060188.tif 000014
【図１３】
2018060188.tif 000015
【図１４】
2018060188.tif 000016